(57)【要約】【課題】簡易な操作で複数の充電モードを切り替え、目標充電量を設定することができる電動車両用の充電制御装置を提供する。【解決手段】予め定めた目標充電量となるようにバッテリーを充電するオート充電モード、又はユーザーの操作により設定された目標充電量となるようにバッテリーを充電するマニュアル充電モードを有する充電制御部と、回転操作が可能な操作部３１及び操作部３１を収容可能な収容部３２を有し、操作部３１の回転操作により目標充電量を設定する設定操作部３０と、を備え、設定操作部３０は、操作部３１が収容部３２に収容された第１の位置にあるときオート充電モードにし、又は操作部３１が収容部３２から露出した第２の位置にあるときマニュアル充電モードにする。【選択図】図４
2019062697.tif 000002
【特許請求の範囲】
【請求項１】
バッテリーの電力で駆動されるモーターを備える電動車両用の充電制御装置であって、
予め定めた目標充電量となるように前記バッテリーを充電するオート充電モード、又はユーザーの操作により設定された前記目標充電量となるように前記バッテリーを充電するマニュアル充電モードを有する充電制御手段と、
回転操作が可能な操作部及び前記操作部を収容可能な収容部を有し、前記操作部の回転操作により前記目標充電量を設定する設定手段と、を備え、
前記設定手段は、前記操作部が前記収容部に収容された第１の位置にあるとき前記オート充電モードにし、又は前記操作部が前記収容部から露出した第２の位置にあるとき前記マニュアル充電モードにする
ことを特徴とする電動車両用の充電制御装置。
【請求項２】
請求項１に記載の電動車両用の充電制御装置であって、
前記第１の位置は、前記操作部の全体が前記収容部に収容された位置である
ことを特徴とする電動車両用の充電制御装置。
【請求項３】
請求項２に記載の電動車両用の充電制御装置において、
前記充電制御手段の充電状態を表示する表示部を備え、
前記表示部は、前記設定手段に一体的に設けられている
ことを特徴とする電動車両用の充電制御装置。
【請求項４】
請求項２に記載の電動車両用の充電制御装置において、
前記充電制御手段の充電状態を表示する表示部を備え、
前記表示部は、前記設定手段とは別体で設けられている
ことを特徴とする電動車両用の充電制御装置。
【発明の詳細な説明】
【技術分野】
【０００１】
本発明は、電動車両におけるバッテリーの充電モード及び目標充電量を設定することができる電動車両用の充電制御装置に関する。
【背景技術】
【０００２】
近年、プラグインハイブリッド自動車などの電動車両が実用化されている。電動車両に搭載されているバッテリーの充電は、電動車両に搭載された制御装置により制御される。このような制御装置は、ユーザーの利用目的に応じて、様々な態様でバッテリーを制御するものがある。
【０００３】
電動車両のバッテリーは、車載機器以外の各種機器用の電源として用いられることがある。例えば、キャンプ地などでバッテリーを電源として用いる場合がある。この場合、ユーザーは、キャンプ地に到着した時点において、バッテリーの充電量が高く維持されていることを望む。このような利用目的のために、高く目標充電量を設定し、その目標充電量が維持されるように充電制御するチャージモードがある。他に、バッテリーの充電量が維持されるように充電制御するセーブモードがある。
【０００４】
このようなモードの切り替えや目標充電量の設定は、各種のスイッチを操作することにより行うことができる（例えば、特許文献１参照）。
【０００５】
しかしながら、それらのモードを切り替えるなど設定を変更するためには、複数のスイッチの中から目的にあうスイッチを選んで操作しなければならず、複雑な操作が必要となる。
【先行技術文献】
【特許文献】
【０００６】
【特許文献１】特開２００３−２３５１０８号公報
【発明の概要】
【発明が解決しようとする課題】
【０００７】
本発明は、このような事情に鑑みてなされたもので、簡易な操作で複数の充電モードを切り替え、目標充電量を設定することができる電動車両用の充電制御装置を提供することを目的とする。
【課題を解決するための手段】
【０００８】
上記課題を解決する本発明の第１の態様は、バッテリーの電力で駆動されるモーターを備える電動車両用の充電制御装置であって、予め定めた目標充電量となるように前記バッテリーを充電するオート充電モード、又はユーザーの操作により設定された前記目標充電量となるように前記バッテリーを充電するマニュアル充電モードを有する充電制御手段と、回転操作が可能な操作部及び前記操作部を収容可能な収容部を有し、前記操作部の回転操作により前記目標充電量を設定する設定手段と、を備え、前記設定手段は、前記操作部が前記収容部に収容された第１の位置にあるとき前記オート充電モードにし、又は前記操作部が前記収容部から露出した第２の位置にあるとき前記マニュアル充電モードにすることを特徴とする電動車両用の充電制御装置にある。
【０００９】
第１の態様では、充電モードの選択、及びマニュアル充電モードにおける目標充電量の設定を一つの設定手段によって行うことができる。これにより、簡易な操作で複数の充電モードを切り替え、かつ、目標充電量を設定することができる。
【００１０】
本発明の第２の態様は、第１の態様に記載の電動車両用の充電制御装置であって、前記第１の位置は、前記操作部の全体が前記収容部に収容された位置であることを特徴とする電動車両用の充電制御装置にある。
【００１１】
第２の態様では、オート充電モードのときには目標充電量を変更できないにも関わらず、ユーザーが操作部を回転操作してしまい、目標充電量を設定できないと誤認することを回避できる。
【００１２】
本発明の第３の態様は、第２の態様に記載の電動車両用の充電制御装置において、前記充電制御手段の充電状態を表示する表示部を備え、前記表示部は、前記設定手段に一体的に設けられていることを特徴とする電動車両用の充電制御装置にある。
【００１３】
第３の態様では、どの充電モードに切り替わり、どのような値の目標充電量が設定されたかを確認しながら、ユーザーは設定手段を操作することができる。これにより、より確実に、ユーザーの所望する充電モード及び目標充電量を設定することができる。
【００１４】
本発明の第４の態様は、第２の態様に記載の電動車両用の充電制御装置において、前記充電制御手段の充電状態を表示する表示部を備え、前記表示部は、前記設定手段とは別体で設けられていることを特徴とする電動車両用の充電制御装置にある。
【００１５】
第４の態様では、操作しやすい箇所に設定手段を配置し、視認し易い箇所に表示部を配置することで、より一層操作性を向上することができる。
【発明の効果】
【００１６】
本発明によれば、簡易な操作で複数の充電モードを切り替え、目標充電量を設定することができる電動車両用の充電制御装置が提供される。
【図面の簡単な説明】
【００１７】
【図１】電動車両の概略構成図である。
【図２】電動車両用のセンターコンソール付近の概略図である。
【図３】電動車両用の充電制御装置の斜視図である。
【図４】電動車両用の充電制御装置の斜視図である。
【図５】電動車両用のセンターコンソール付近の概略図である。
【図６】電動車両用の充電制御装置の平面図である。
【図７】電動車両用の充電制御装置の平面図である。
【発明を実施するための形態】
【００１８】
〈実施形態１〉
以下、本発明を実施するための形態について説明する。なお、実施形態の説明は例示であり、本発明は以下の説明に限定されない。
【００１９】
図１は、電動車両の概略構成図である。本実施形態では、電動車両用の充電制御装置（以下、単に充電制御装置）が搭載される電動車両として、プラグインハイブリッド電気自動車（ＰＨＥＶ、以下、車両１と称する）を例にとり説明する。
【００２０】
車両１は、走行用モーター５及びエンジン２を走行用の駆動源として備えている。
走行用モーター５は、インバータ４を介して駆動用バッテリー３（請求項のバッテリーに相当）に接続されている。走行用モーター５の駆動力は前輪７に伝達される。駆動用バッテリー３は、複数のバッテリーセルが直並列に接続されてなるバッテリーユニットであり、各バッテリーセルは、例えば、リチウムイオン二次電池からなる。
【００２１】
エンジン２は、発電機であるジェネレーター６に接続されている。ジェネレーター６は、インバータ４を介して駆動用バッテリー３に接続されている。ジェネレーター６は、エンジン２の駆動力により回転し、ジェネレーター６で発電された電力が、インバータ４を介して駆動用バッテリー３に供給される。
【００２２】
走行用モーター５の駆動力は前輪７に伝達され、また、エンジン２の駆動力は前輪７に伝達されることが可能な構成となっている。
このような構成の車両１は、車両１の運転状態に応じて、ＥＶモード、シリーズモード、パラレルモードなど、各種のモードに切り替えることが可能となっている。ＥＶモードでは、走行用モーター５のみを動力源とする。シリーズモードは、走行用モーター５を車両走行の動力源とし、エンジン２をジェネレーター６の動力源として、駆動用バッテリー３を充電する。パラレルモードは、走行用モーター５とエンジン２とのそれぞれを動力源とする。
【００２３】
このような各モードの切り替えなど車両１の各種制御を実行するための装置として、車両１には、制御装置２０が搭載されている。制御装置２０は、ＥＣＵ（Electronic Control Unit）であり、ＣＰＵ、制御プログラムなどを格納・記憶するＲＯＭ、制御プログラムの作動領域としてのＲＡＭ、各種データを書き換え可能に保持するＥＥＰＲＯＭ、周辺回路等とのインターフェースをとるインターフェース部などを含んで構成される。制御装置２０は、車両１の各部とインターフェース部を介して接続され、それら各部との間で情報の授受をおこない、各部の制御を行う。
【００２４】
図２は電動車両用のセンターコンソール付近の概略図であり、図３及び図４は電動車両用の充電制御装置の斜視図である。図２〜図４に示すように、電動車両用の充電制御装置１０（以下、単に充電制御装置という）は、充電制御部２１と、設定操作部３０とを備えている。
【００２５】
充電制御部２１は、請求項に記載の充電制御手段の一例である。本実施形態では、制御装置２０のＣＰＵが制御プログラムを実行することによって、充電制御部２１が実現されている。
【００２６】
充電制御部２１は、駆動用バッテリー３の充電量の検出結果に基づいてエンジン２を作動させてジェネレーター６で発電することで駆動用バッテリー３の充電量を制御する。駆動用バッテリー３の充電方法については複数のモードがある。本実施形態では少なくともオート充電モードとマニュアル充電モードの何れかのモードで駆動用バッテリー３の充電を制御する。
【００２７】
オート充電モードは、予め定めた目標充電量となるように駆動用バッテリー３を充電するモードである。
マニュアル充電モードは、ユーザーの操作により設定された目標充電量となるように駆動用バッテリー３を充電するモードである。
充電制御部２１は、後述する設定操作部３０の操作に基づいて、オート充電モード又はマニュアル充電モードの何れか一方が選択される。
【００２８】
オート充電モードが選択された場合、充電制御部２１は、駆動用バッテリー３の充電量が予め定めた目標充電量以下となると、エンジン２を始動させて駆動用バッテリー３の充電を開始する。その後、充電制御部２１は、駆動用バッテリー３の充電量が目標充電量に達するとエンジン２を停止させて駆動用バッテリー３の充電を終了する。充電制御部２１は、走行中において、このような充電の開始と終了とを繰り返す。
【００２９】
マニュアル充電モードが選択された場合、充電制御部２１は、駆動用バッテリー３の充電量が、設定操作部３０により設定された目標充電量以下となると、エンジン２を始動させて駆動用バッテリー３の充電を開始する。その後、充電制御部２１は、駆動用バッテリー３の充電量が目標充電量に達するとエンジン２を停止させて駆動用バッテリー３の充電を終了する。充電制御部２１は、走行中において、このような充電の開始と終了とを繰り返す。
【００３０】
なお、何れのモードにおいても、駆動用バッテリー３の充電量が目標充電量以下となったとき、すぐに充電を開始する必要はない。充電開始・停止を頻繁に繰り返すことを防止すべく、目標充電量からさらに一定量を下回ったときに充電を開始するようにしてもよい。
【００３１】
設定操作部３０は、請求項に記載の設定手段の一例であり、回転操作が可能な操作部３１、操作部３１を収容可能な収容部３２、及び充電状況を表すための表示部３３を有する操作機構である。本実施形態の設定操作部３０は、センターコンソール５０のシフトレバー５１の近傍に配置されているが、配置場所に特に限定はない。
【００３２】
操作部３１は、回転操作が可能であり、回転操作を電気信号に変換する装置である。操作部３１が出力する電気信号は充電制御部２１に検知されるようになっている。
【００３３】
操作部３１の具体例としては、モーメンタリ式の回転スイッチや、復帰型の回転スイッチを挙げることができる。操作部３１が回転操作されると、どの程度回転されたかが電気信号として出力され、充電制御部２１では当該電気信号に対応した目標充電量が設定される。
【００３４】
例えば、目標充電量を、６０〜８０％の間において５％刻みで操作部３１により設定可能とする。この場合、操作部３１の各接点に各目標充電量を対応させる。これにより、操作部３１を右回転又は左回転させて各接点に接触させることで、充電制御部２１はこれを検出し、目標充電量を設定することができる。
【００３５】
また、復帰型の回転スイッチを操作部３１とした場合は、操作部３１は右回転又は左回転したことを電気信号として出力する。充電制御部２１はこの電気信号を検出し、例えば、右回転を検出するたびに目標充電量を＋５％、左回転を検出するたびに目標充電量を−５％となるように設定する。
【００３６】
収容部３２は、操作部３１を収容可能な空間を形成する。本実施形態では、収容部３２は、センターコンソール５０の表面に開口を有し、操作部３１を収納する凹部として形成されている。
【００３７】
図３に示すように、操作部３１が収容部３２に収容された位置を第１の位置という。また、図４に示すように、操作部３１が収容部３２から露出した位置を第２の位置という。
【００３８】
操作部３１のうち、ユーザーが操作部３１を回転操作するために触れる一部を被操作部３４とする。図４に示すように、被操作部３４は、円柱状の操作部３１の側周面部分である。本実施形態では、この被操作部３４の全体が収容部３２に収容されたときの位置を第１の位置としている。ただし、必ずしもこのような第１の位置に限定されず、被操作部３４の一部が収容部３２に収容された位置を第１の位置としてもよい。
【００３９】
操作部３１は、第１の位置又は第２の位置の何れかの位置で保持される。そして、設定操作部３０は、操作部３１が第１の位置又は第２の位置のどちらに位置するかを表す電気信号を出力する構成となっている。具体的には、操作部３１の全体がオン・オフスイッチとして構成されている。操作部３１を回転軸方向に押圧することで、操作部３１は第１の位置又は第２の位置の何れかの位置に保持される。
【００４０】
このような設定操作部３０は、操作部３１が第１の位置にあるとき（図３参照）、オート充電モードにし、操作部３１が第２の位置にあるとき（図４参照）、マニュアル充電モードにする。
【００４１】
換言すれば、充電制御部２１は、操作部３１が第１の位置にあることを表す電気信号を検出したとき（スイッチオン状態を検出したとき）、オート充電モードにする。一方、充電制御部２１は、操作部３１が第２の位置にあることを表す電気信号を検出したとき（スイッチオフ状態を検出したとき）、マニュアル充電モードにする。
【００４２】
また、本実施形態の設定操作部３０は、表示部３３を備えている。表示部３３は、例えば、液晶ディスプレイである。表示部３３は、設定操作部３０に一体的に設けられており、具体的には、操作部３１の頂面部分に設けられている。
【００４３】
表示部３３は、充電制御部２１の充電状態を表示する。充電制御部２１の充電状態とは、充電モード、現在の駆動用バッテリー３の充電量、目標充電量など、駆動用バッテリー３への充電に関する情報である。
【００４４】
例えば、図３に示すように、オート充電モードのときは、表示部３３には、オート充電モードであることを表す「ＡＵＴＯ」という文字が表示されている。また、現時点における駆動用バッテリー３の充電量を表す「ＮＯＷ  ４０％」という文字が表示されている。このように、表示部３３により、オート充電モードにおいて現時点では駆動用バッテリー３の充電量が４０％であることがユーザーに表示される。
【００４５】
また、図４に示すように、マニュアル充電モードのときは、表示部３３には、ユーザーが設定した目標充電量を表す「ＴＡＲＧＥＴ  ８０％」という文字が表示されている。また、現時点における駆動用バッテリー３の充電量を表す「ＮＯＷ  ４０％」という文字が表示されている。このように、表示部３３により、マニュアル充電モードにおいて目標充電量が８０％であり現時点では駆動用バッテリー３の充電量が４０％であることがユーザーに表示される。
【００４６】
上述した構成の充電制御装置１０は、ユーザーの押圧操作によって、操作部３１をオン又はオフ、すなわち第１の位置又は第２の位置とすることで、オート充電モード又はマニュアル充電モードに切り替えることができる。そして、マニュアル充電モードのときには、操作部３１を回転操作させるための被操作部３４（図４参照）が現われる。ユーザーはこの被操作部３４に触れて操作部３１を回転操作することで、マニュアル充電モードにおける目標充電量を設定することができる。
【００４７】
このように、充電モードの選択、及びマニュアル充電モードにおける目標充電量の設定を一つの設定操作部３０によって行うことができる。これにより、充電制御装置１０によれば、簡易な操作で複数の充電モードを切り替え、かつ、目標充電量を設定することができる。
【００４８】
また、本実施形態の充電制御装置１０は、操作部３１の全体が収容部３２に収容された位置を第１の位置とした。このような第１の位置とすることで、オート充電モードのときに操作部３１を回転操作してしまうことを回避することができる。これにより、オート充電モードのときには目標充電量を変更できないにも関わらず、ユーザーが操作部３１を回転操作してしまい、目標充電量を設定できないと誤認することを回避できる。
【００４９】
また、本実施形態の充電制御装置１０は、操作部３１に一体的に表示部３３が設けられている。これにより、どの充電モードに切り替わり、どのような値の目標充電量が設定されたかを確認しながら、ユーザーは設定操作部３０を操作することができる。これにより、より確実に、ユーザーの所望する充電モード及び目標充電量を設定することができる。
【００５０】
〈実施形態２〉
例えば、上記実施形態では、表示部３３は、操作部３１と一体的に構成されていたが、このような構成に限定されない。
【００５１】
図５は電動車両用のセンターコンソール付近の概略図であり、図６及び図７は電動車両用の充電制御装置の平面図である。なお、実施形態１と同一のものには同一の符号を付し、重複する説明は省略する。
【００５２】
図５に示すように、本実施形態の充電制御装置１０Ａは、充電制御部２１と、設定操作部３０Ａと、表示部３３Ａとを備えている。表示部３３Ａは、設定操作部３０Ａとは一体化されておらず、別体で配置されている。
【００５３】
表示部３３Ａは、センターコンソール５０の上面部分に配置されており、充電制御部２１から与えられた信号により、目標充電量や駆動用バッテリー３の充電量などを表示する。
【００５４】
例えば、図６に示すように、オート充電モードのときは、表示部３３Ａには、オート充電モードであることを表す「ＡＵＴＯ」という文字が表示されている。また、現時点における駆動用バッテリー３の充電量を表す「ＮＯＷ  ４０％」という文字が表示されている。このように、表示部３３により、オート充電モードにおいて現時点では駆動用バッテリー３の充電量が４０％であることがユーザーに表示される。
【００５５】
また、図７に示すように、マニュアル充電モードのときは、表示部３３には、ユーザーが設定した目標充電量を表す「ＴＡＲＧＥＴ  ８０％」という文字が表示されている。また、現時点における駆動用バッテリー３の充電量を表す「ＮＯＷ  ４０％」という文字が表示されている。このように、表示部３３Ａにより、マニュアル充電モードにおいて目標充電量が８０％であり現時点では駆動用バッテリー３の充電量が４０％であることがユーザーに表示される。
【００５６】
一方、操作部３１Ａは、表示部を除けば、実施形態１の操作部３１と同様の構成である。したがって、第１の位置又は第２の位置の何れかに保持される構成となっている。そして、操作部３１Ａが第１の位置にあるときはオート充電モード、第２の位置にあるときはマニュアル充電モードに切り替えられる。
【００５７】
このような構成の充電制御装置１０Ａであっても、実施形態１の充電制御装置１０と同様の作用効果を奏する。
【００５８】
さらに、本実施形態の充電制御装置１０Ａは、表示部３３Ａを操作部３１Ａと別の場所に配置することができる。例えば、表示部３３Ａをインストルメントパネルなど、運転者の視野に近い場所に配置することができる。これにより、操作しやすい箇所に設定操作部３０Ａを配置し、視認し易い箇所に表示部３３Ａを配置することで、より一層操作性を向上することができる。
【００５９】
〈他の実施形態〉
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。
【００６０】
上述した各実施形態では、設定操作部は、ボタンスイッチにより操作部３１を第１の位置又は第２の位置に保持するようにしたが、このような構成に限定されない。
【００６１】
また、オート充電モードは、上述した実施形態のような充電態様に限定されない。また、マニュアル充電モードは、少なくとも、目標充電量をユーザーが設定可能な充電態様であればよく、上述した実施形態のような充電態様に限定されない。
【００６２】
また、表示部は、液晶ディスプレイに文字などを表示する装置であったが、これに限定されない。例えば、充電モードや目標充電量を示す計器類であってもよい。
【符号の説明】
【００６３】
１０、１０Ａ…充電制御装置、２０…制御装置、２１…充電制御部、３０、３０Ａ…設定操作部、３１、３１Ａ…操作部、３２…収容部、３３、３３Ａ…表示部
【図１】
2019062697.tif 000003
【図２】
2019062697.tif 000004
【図３】
2019062697.tif 000005
【図４】
2019062697.tif 000006
【図５】
2019062697.tif 000007
【図６】
2019062697.tif 000008
【図７】
2019062697.tif 000009